(57)【要約】【課題】印刷装置を停止することなく、ユーザ所望のタイミングで後処理装置における設定変更を可能とする。【解決手段】印刷装置１は、用紙に印刷を行い、印刷された用紙を後処理装置へ搬送する装置である。印刷装置１は、用紙を搬送しつつ印刷を行う印刷部３と、印刷部３へ用紙を給紙する給紙部２と、ユーザ操作による後処理装置に関する設定変更指示に応じて、給紙部２による給紙タイミングを調整する制御部９とを備える。【選択図】図２
2014083743.tif 000002
【特許請求の範囲】
【請求項１】
用紙に印刷を行い、印刷された用紙を後処理装置へ搬送する印刷装置であって、
用紙を搬送しつつ印刷を行う印刷部と、
前記印刷部へ用紙を給紙する給紙部と、
ユーザ操作による前記後処理装置に関する設定変更指示に応じて、前記給紙部による給紙タイミングを調整する制御部と
を備えることを特徴とする印刷装置。
【請求項２】
前記後処理装置は、排紙台上の用紙の位置を規制する移動可能なフェンスを有する排紙装置であり、
前記制御部は、ユーザ操作による前記フェンスの位置変更指示に応じて、前記給紙部による給紙タイミングを調整することを特徴とする請求項１に記載の印刷装置。
【発明の詳細な説明】
【技術分野】
【０００１】
本発明は、印刷媒体に印刷を行う印刷装置に関する。
【背景技術】
【０００２】
印刷装置で印刷された用紙に対する後処理を行う後処理装置が知られている。後処理装置で発生した不具合に対処するために、ユーザが後処理装置における設定変更を行いたい場合、印刷装置を停止する必要があった。しかし、印刷装置を停止すると、生産性が低下してしまう。
【０００３】
これに対し、特許文献１には、複数の排紙台を有し、排紙先となる排紙台を変更するためのボタンを排紙台ごとに設けた排紙装置が開示されている。この排紙装置では、排紙台上の用紙の乱れ等の積載不良が発生した場合に、ユーザがボタンを押下することで、排紙先となる排紙台が変更される。これにより、印刷装置を停止することなく、排紙装置における用紙の積載不良に対処している。
【先行技術文献】
【特許文献】
【０００４】
【特許文献１】特開２００４−５９２６８号公報
【発明の概要】
【発明が解決しようとする課題】
【０００５】
しかしながら、特許文献１の技術は、排紙先となる排紙台を変更するためのボタンを有する構成の排紙装置であることが前提である。後処理装置がこのような特別な構成を有していない場合、後処理装置で発生した不具合に対処するために、印刷装置を停止せざるを得なくなることがあった。
【０００６】
本発明は上記に鑑みてなされたもので、印刷装置を停止することなく、ユーザ所望のタイミングで後処理装置における設定変更を可能とする印刷装置を提供することを目的とする。
【課題を解決するための手段】
【０００７】
上記目的を達成するため、本発明に係る印刷装置の第１の特徴は、用紙に印刷を行い、印刷された用紙を後処理装置へ搬送する印刷装置であって、用紙を搬送しつつ印刷を行う印刷部と、前記印刷部へ用紙を給紙する給紙部と、ユーザ操作による前記後処理装置に関する設定変更指示に応じて、前記給紙部による給紙タイミングを調整する制御部とを備えることにある。
【０００８】
本発明に係る印刷装置の第２の特徴は、前記後処理装置は、排紙台上の用紙の位置を規制する移動可能なフェンスを有する排紙装置であり、前記制御部は、ユーザ操作による前記フェンスの位置変更指示に応じて、前記給紙部による給紙タイミングを調整することにある。
【発明の効果】
【０００９】
本発明に係る印刷装置の第１の特徴によれば、ユーザ操作による後処理装置に関する設定変更指示に応じて、給紙部による給紙タイミングを調整する。これにより、印刷装置を停止することなく、ユーザ所望のタイミングで後処理装置における設定変更が可能となる。
【００１０】
本発明に係る印刷装置の第２の特徴によれば、ユーザ操作によるフェンスの位置変更指示に応じて、給紙部による給紙タイミングを調整する。これにより、印刷装置を停止することなく、ユーザ所望のタイミングでフェンスの位置変更を行うことが可能となる。
【図面の簡単な説明】
【００１１】
【図１】第１の実施の形態に係る印刷装置の概略構成図である。
【図２】図１に示す印刷装置の制御系の構成を示すブロック図である。
【図３】第１の実施の形態における排紙先の変更について説明するためのフローチャートである。
【図４】第２の実施の形態におけるフェンスの位置変更について説明するためのフローチャートである。
【発明を実施するための形態】
【００１２】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１３】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１４】
（第１の実施の形態）
図１は、本発明の第１の実施の形態に係る印刷装置の概略構成図、図２は、図１に示す印刷装置の制御系の構成を示すブロック図である。以下の説明において、ユーザが位置する図１の紙面表方向を前方とする。また、図１に示すように、ユーザから視て、上下左右を上下左右方向とする。
【００１５】
図１において太線で示す経路が、印刷媒体である用紙Ｐが搬送される搬送経路である。搬送経路のうち、実線で示す経路が通常経路ＲＣ、一点鎖線で示す経路が反転経路ＲＲ、破線で示す経路が排紙経路ＲＤ１，ＲＤ２、二点鎖線で示す経路が給紙経路ＲＳである。以下の説明における上流、下流は、搬送経路における上流、下流を意味する。
【００１６】
図１、図２に示すように、第１の実施の形態に係る印刷装置１は、給紙部２と、印刷部３と、フェイスアップ排紙部４と、上面搬送部５と、フェイスダウン排紙部６と、反転部７と、操作入力部８と、制御部９と、各部を収納または保持する筐体１０とを備える。なお、請求項の排紙装置は、フェイスアップ排紙部４と、後述する最下流の水平搬送ローラ５３を除く上面搬送部５と、フェイスダウン排紙部６とを有する。
【００１７】
給紙部２は、印刷部３に用紙Ｐを給紙する。給紙部２は、搬送経路の最も上流側に配置されている。給紙部２は、外部給紙台２１と、外部給紙ローラ２２と、複数の内部給紙台２３と、複数の内部給紙ローラ２４と、複数対の縦搬送ローラ２５と、外部給紙モータ２６と、内部給紙モータ２７と、レジストローラ２８と、レジストモータ２９とを備える。
【００１８】
外部給紙台２１は、印刷に用いられる用紙Ｐが積載されるものである。外部給紙台２１は、一部が筐体１０の外部に露出して設置されている。
【００１９】
外部給紙ローラ２２は、外部給紙台２１から用紙Ｐを１枚ずつ取り出し、給紙経路ＲＳに沿ってレジストローラ２８へ向けて搬送する。外部給紙ローラ２２は、外部給紙台２１の上側に配置されている。
【００２０】
内部給紙台２３は、印刷に用いられる用紙Ｐが積載されるものである。内部給紙台２３は、筐体１０の内部に配置されている。
【００２１】
内部給紙ローラ２４は、内部給紙台２３から用紙Ｐを１枚ずつ取り出して給紙経路ＲＳへと送り出す。内部給紙ローラ２４は、内部給紙台２３の上側に設けられている。
【００２２】
縦搬送ローラ２５は、内部給紙台２３から取り出された用紙Ｐをレジストローラ２８へ向けて搬送する。縦搬送ローラ２５は、給紙経路ＲＳに沿って配置されている。
【００２３】
外部給紙モータ２６は、外部給紙ローラ２２および最下流の縦搬送ローラ２５を回転駆動させる。外部給紙モータ２６は、外部給紙ローラ２２および最下流の縦搬送ローラ２５にそれぞれ図示しないワンウェイクラッチを介して接続されている。これにより、外部給紙モータ２６の正転駆動により外部給紙ローラ２２が駆動し、外部給紙モータ２６の逆転駆動により最下流の縦搬送ローラ２５が駆動するようになっている。
【００２４】
内部給紙モータ２７は、内部給紙ローラ２４、および最下流の縦搬送ローラ２５以外の他の縦搬送ローラ２５を回転駆動させる。内部給紙モータ２７は、図示しないクラッチを介して内部給紙ローラ２４および他の縦搬送ローラ２５に接続／解除可能になっている。クラッチにより、回転駆動する内部給紙ローラ２４、縦搬送ローラ２５が切り替えられる。
【００２５】
レジストローラ２８は、外部給紙台２１、内部給紙台２３、反転部７から搬送されてきた用紙Ｐを一旦止めた後、印刷部３へと送り出す。レジストローラ２８は、給紙経路ＲＳと反転経路ＲＲとの合流地点の近傍の通常経路ＲＣ上に配置されている。
【００２６】
レジストモータ２９は、レジストローラ２８を回転駆動させる。
【００２７】
印刷部３は、給紙された用紙Ｐを搬送しつつ印刷を行い、印刷された用紙Ｐをフェイスアップ排紙部４または上面搬送部５へ搬送する。印刷部３は、給紙部２の下流側に配置されている。印刷部３は、ベルト搬送部３１と、ベルトモータ３２と、インクジェットヘッド部３３とを備える。
【００２８】
ベルト搬送部３１は、レジストローラ２８から搬送されてきた用紙Ｐをベルト上に吸着保持して、フェイスアップ排紙部４または上面搬送部５へ搬送する。搬送する。ベルト搬送部３１は、レジストローラ２８の下流側に配置されている。
【００２９】
ベルトモータ３２は、ベルト搬送部３１を駆動させる。
【００３０】
インクジェットヘッド部３３は、用紙Ｐの搬送方向と略直交する方向（前後方向）に複数のノズルが配列されたラインタイプの複数のインクジェットヘッド（図示せず）を有する。インクジェットヘッド部３３は、ベルト搬送部３１の上方に配置されている。インクジェットヘッド部３３は、ベルト搬送部３１により搬送される用紙Ｐにインクジェットヘッドからインクを吐出して画像を印刷する。
【００３１】
フェイスアップ排紙部４は、印刷済みの用紙Ｐを、印刷面（両面印刷の場合は後で印刷された面）が上向きの状態で排紙する。フェイスアップ排紙部４は、印刷部３と上面搬送部５との境界から延びる排紙経路ＲＤ１に沿って配置されている。フェイスアップ排紙部４は、切替部４１と、ソレノイド４２と、フェイスアップ排紙ローラ４３と、フェイスアップ排紙モータ４４と、フェイスアップ排紙台４５と、一対のサイドフェンス４６，４７と、サイドフェンスモータ４８と、エンドフェンス４９と、エンドフェンスモータ５０とを備える。
【００３２】
切替部４１は、用紙Ｐの搬送経路を通常経路ＲＣと排紙経路ＲＤ１との間で切り替える。切替部４１は、通常経路ＲＣと排紙経路ＲＤ１との分岐点に配置されている。
【００３３】
ソレノイド４２は、切替部４１を駆動させる。
【００３４】
フェイスアップ排紙ローラ４３は、ベルト搬送部３１により搬送されてきた用紙Ｐを搬送してフェイスアップ排紙台４５へと排紙する。フェイスアップ排紙ローラ４３は、排紙経路ＲＤ１に沿って、切替部４１とフェイスアップ排紙台４５との間に配置されている。
【００３５】
フェイスアップ排紙モータ４４は、フェイスアップ排紙ローラ４３を回転駆動させる。
【００３６】
フェイスアップ排紙台４５は、フェイスアップ排紙ローラ４３により搬送されてきた印刷済みの用紙Ｐが積載されるものである。フェイスアップ排紙台４５には、印刷面（両面印刷の場合は後で印刷された面）が上向きの状態で用紙Ｐが積載される。
【００３７】
一対のサイドフェンス４６，４７は、フェイスアップ排紙台４５上における用紙の幅方向（前後方向）の位置を規制する。サイドフェンス４６，４７は、フェイスアップ排紙台４５に立設されている。サイドフェンス４６，４７は、前後方向に並設され、互いに接近する方向および互いに離間する方向に移動可能に構成されている。
【００３８】
サイドフェンスモータ４８は、一対のサイドフェンス４６，４７を移動させる。サイドフェンスモータ４８の駆動力が、図示しないサイドフェンス移動機構によりサイドフェンス４６，４７に伝達され、サイドフェンス４６，４７が移動するようになっている。サイドフェンスモータ４８は、パルスモータからなる。サイドフェンスモータ４８の正転駆動によりサイドフェンス４６，４７が互いに接近し、サイドフェンスモータ４８の逆転駆動によりサイドフェンス４６，４７が互いに離間するようになっている。
【００３９】
エンドフェンス４９は、フェイスアップ排紙台４５上における用紙Ｐの先端（右端）の位置を規制する。エンドフェンス４９は、フェイスアップ排紙台４５上に立設され、左右方向に移動可能に構成されている。
【００４０】
エンドフェンスモータ５０は、エンドフェンス４９を移動させる。エンドフェンスモータ５０の駆動力が、図示しないエンドフェンス移動機構によりエンドフェンス４９に伝達され、エンドフェンス４９が移動するようになっている。エンドフェンスモータ５０は、パルスモータからなる。エンドフェンスモータ５０の正転駆動によりエンドフェンス４９が右方向へ移動し、エンドフェンスモータ５０の逆転駆動によりエンドフェンス４９が左方向へ移動するようになっている。
【００４１】
上面搬送部５は、ベルト搬送部３１によって搬送されてきた用紙Ｐを右方向から左方向へとＵターンするように搬送する。上面搬送部５は、複数対の上昇搬送ローラ５１と、上昇搬送モータ５２と、複数対の水平搬送ローラ５３と、水平搬送モータ５４とを備える。
【００４２】
上昇搬送ローラ５１は、用紙Ｐをニップしつつ上方の水平搬送ローラ５３へと搬送する。上昇搬送ローラ５１は、通常経路ＲＣに沿って配置されている。上昇搬送ローラ５１が配置される領域の通常経路ＲＣは、左側が開口された半円状に構成されている。
【００４３】
上昇搬送モータ５２は、複数対の上昇搬送ローラ５１を回転駆動させる。
【００４４】
水平搬送ローラ５３は、用紙Ｐをニップしつつフェイスダウン排紙部６または反転部７へと搬送する。最下流の水平搬送ローラ５３は、反転経路ＲＲの上流部に配置されている。他の水平搬送ローラ５３は、通常経路ＲＣの下流域の水平部分に配置されている。
【００４５】
水平搬送モータ５４は、複数対の水平搬送ローラ５３を回転駆動させる。
【００４６】
フェイスダウン排紙部６は、印刷済みの用紙Ｐを、印刷面（両面印刷の場合は後で印刷された面）が下向きの状態で排紙する。フェイスダウン排紙部６は、通常経路ＲＣの下流端から延びる排紙経路ＲＤ２に沿って配置されている。フェイスダウン排紙部６は、切替部６１と、ソレノイド６２と、フェイスダウン排紙ローラ６３と、フェイスダウン排紙モータ６４と、フェイスダウン排紙台６５とを備える。
【００４７】
切替部６１は、用紙Ｐの搬送経路を排紙経路ＲＤ２と反転経路ＲＲとの間で切り替える。切替部６１は、排紙経路ＲＤ２と反転経路ＲＲとの分岐点に配置されている。
【００４８】
ソレノイド６２は、切替部６１を駆動させる。
【００４９】
フェイスダウン排紙ローラ６３は、切替部６１によって排紙経路ＲＤ２へと導かれた用紙Ｐを搬送してフェイスダウン排紙台６５へ排紙する。フェイスダウン排紙ローラ６３は、排紙経路ＲＤ２に沿って、切替部６１とフェイスダウン排紙台６５との間に配置されている。
【００５０】
フェイスダウン排紙モータ６４は、フェイスダウン排紙ローラ６３を回転駆動させる。
【００５１】
フェイスダウン排紙台６５は、フェイスダウン排紙ローラ６３により搬送されてきた印刷済みの用紙Ｐが積載されるものである。フェイスダウン排紙台６５には、印刷面（両面印刷の場合は後で印刷された面）が上向きの状態で用紙Ｐが積載される。
【００５２】
反転部７は、両面印刷の際に、片面印刷済みの用紙Ｐを反転させてレジストローラ２８へ搬送する。反転部７は、反転ローラ７１と、反転モータ７２と、スイッチバック部７３と、再給紙ローラ７４と、再給紙モータ７５と、切替ゲート７６とを備える。
【００５３】
反転ローラ７１は、上面搬送部５の水平搬送ローラ５３により搬送されてきた用紙Ｐをスイッチバック部７３に一時的に搬入した後に搬出して、再給紙ローラ７４へと搬送する。反転ローラ７１は、最下流の水平搬送ローラ５３とスイッチバック部７３の搬入口との間の反転経路ＲＲ上に配置されている。
【００５４】
反転モータ７２は、反転ローラ７１を回転駆動させる。
【００５５】
スイッチバック部７３は、反転ローラ７１が用紙Ｐを一時的に搬入するための空間である。スイッチバック部７３は、フェイスダウン排紙台６５の下部に形成されている。スイッチバック部７３は、反転ローラ７１の近傍が用紙Ｐを搬入するために開口されている。
【００５６】
再給紙ローラ７４は、反転ローラ７１により搬送されてきた用紙Ｐをレジストローラ２８へ搬送する。再給紙ローラ７４は、反転ローラ７１とレジストローラ２８との間の反転経路ＲＲ上に配置されている。
【００５７】
再給紙モータ７５は、再給紙ローラ７４を回転駆動させる。
【００５８】
切替ゲート７６は、水平搬送ローラ５３により搬送されてきた用紙Ｐを反転ローラ７１へとガイドする。また、切替ゲート７６は、反転ローラ７１によってスイッチバック部７３から搬出される用紙Ｐを再給紙ローラ７４へとガイドする。切替ゲート７６は、最下流の水平搬送ローラ５３、反転ローラ７１、および再給紙ローラ７４の３個所の重心近傍に配置されている。
【００５９】
操作入力部８は、ユーザによる入力操作を受け付ける。操作入力部８は、ユーザが各種の入力操作を行うための操作ボタン、タッチパネル（いずれも図示せず）等を備える。
【００６０】
制御部９は、印刷装置１全体の動作を制御する。制御部９は、ＣＰＵ、ＲＡＭ、ＲＯＭ、ハードディスク等を備えて構成される。
【００６１】
次に、印刷装置１の動作について説明する。
【００６２】
印刷装置１が印刷動作を開始すると、まず、未印刷の用紙Ｐが、給紙部２から印刷部３へ給紙される。具体的には、外部給紙台２１および内部給紙台２３のいずれかから給紙経路ＲＳに沿って搬送された未印刷の用紙Ｐが、レジストローラ２８によって印刷部３へ搬送される。印刷部３へ給紙された用紙Ｐは、ベルト搬送部３１によって搬送されつつ、インクジェットヘッド部３３から吐出されるインクにより印刷される。
【００６３】
片面印刷で、排紙先がフェイスアップ排紙台４５である場合、片面印刷済みの用紙Ｐは、ベルト搬送部３１によって搬送されつつ、切替部４１によって排紙経路ＲＤ１へ導かれる。そして、用紙Ｐは、フェイスアップ排紙ローラ４３によってフェイスアップ排紙台４５へ排紙される。
【００６４】
片面印刷で、排紙先がフェイスダウン排紙台６５である場合、片面印刷済みの用紙Ｐは、ベルト搬送部３１によって搬送されつつ、切替部４１によって上面搬送部５へ導かれる。上面搬送部５では、用紙Ｐは、上昇搬送ローラ５１および水平搬送ローラ５３によって搬送される。そして、用紙Ｐは、切替部６１によって排紙経路ＲＤ２へ導かれる。その後、用紙Ｐは、フェイスダウン排紙ローラ６３によってフェイスダウン排紙台６５へ排紙される。
【００６５】
両面印刷の場合、片面印刷された用紙Ｐは、切替部４１によって上面搬送部５へ導かれ、上面搬送部５によって搬送された後、切替部６１によって反転経路ＲＲへ導かれる。反転部７では、用紙Ｐは、切替ゲート７６によって反転ローラ７１へ導かれ、反転ローラ７１によってスイッチバック部７３へ搬入される。その後、用紙Ｐは、反転ローラ７１によりスイッチバック部７３から搬出されるとともに、切替ゲート７６によって再給紙ローラ７４へ導かれる。次いで、用紙Ｐは、再給紙ローラ７４によってレジストローラ２８へ搬送され、レジストローラ２８によって印刷部３へ送り出される。ここで、用紙Ｐは、反転部７によって反転されているので、未印刷面がインクジェットヘッド部３３に向けられ、ベルト搬送部３１によって搬送されつつ、インクジェットヘッド部３３から吐出されるインクにより未印刷面が印刷される。両面印刷済みの用紙Ｐは、上述した片面印刷の場合と同様に、排紙先となるフェイスアップ排紙台４５またはフェイスダウン排紙台６５へ排紙される。
【００６６】
ここで、印刷装置１では、複数枚の印刷を行う際、ある用紙Ｐを給紙した後、その用紙Ｐが印刷され排紙されるのを待って次の用紙Ｐを給紙するのではなく、先行する用紙Ｐが排紙される前に、後続の用紙Ｐを給紙し、所定の間隔で連続的に印刷する。このため、複数枚の用紙Ｐが同時に搬送経路上を搬送される。
【００６７】
また、両面印刷の場合、印刷開始時と印刷終了時の調整期間を除いて、給紙部２から給紙される未印刷の用紙Ｐと、反転部７から再給紙される片面印刷済みの用紙Ｐとが、交互に印刷部３へと送られる。これにより、未印刷の用紙Ｐの一方の面への印刷と、片面印刷済みの用紙Ｐの未印刷面（他方の面）への印刷とが交互に行われる。
【００６８】
上述のような印刷動作中において、例えば、排紙先の排紙台（フェイスアップ排紙台４５またはフェイスダウン排紙台６５）上の用紙Ｐが何らかの理由で乱れ、ユーザが排紙台上から用紙Ｐを取り除きたい場合がある。印刷装置１では、このような場合において、ユーザ操作に応じて印刷動作中に排紙先を変更できる。この排紙先の変更について、図３のフローチャートを参照して説明する。
【００６９】
印刷動作を開始すると、図３のステップＳ１において、制御部９は、操作入力部８に対する操作による設定変更指示として、排紙先の変更指示がされたか否かを判断する。排紙先の変更指示がされていないと判断した場合（ステップＳ１：ＮＯ）、制御部９は、後述のステップＳ６へ進む。
【００７０】
排紙先の変更指示がされたと判断した場合（ステップＳ１：ＹＥＳ）、ステップＳ２において、制御部９は、給紙タイミングを調整するとともに、排紙先を変更する制御を行う。ここで、印刷装置１では、排紙先に応じて、給紙部２による給紙タイミングに対する搬送経路上の各ローラおよび切替部４１，６１の動作タイミングを制御する。したがって、制御部９は、搬送中の用紙Ｐを変更前の排紙先に排紙しつつ、新たに給紙する用紙Ｐは変更後の排紙先に排紙可能となるタイミングで給紙するよう給紙タイミングを遅らせる調整を行う。
【００７１】
次いで、ステップＳ３において、制御部９は、操作入力部８に対する操作により、排紙先を元に戻すよう変更する指示がされたか否かを判断する。
【００７２】
排紙先を元に戻すよう変更する指示がされていないと判断した場合（ステップＳ３：ＮＯ）、ステップＳ４において、制御部９は、指定された印刷枚数分の給紙が終了したか否かを判断する。印刷枚数分の給紙が終了していないと判断した場合（ステップＳ４：ＮＯ）、制御部９は、ステップＳ３へ戻る。印刷枚数分の給紙が終了したと判断した場合（ステップＳ４：ＹＥＳ）、制御部９は、一連の処理を終了する。
【００７３】
排紙先を元に戻すよう変更する指示がされたと判断した場合（ステップＳ３：ＹＥＳ）、ステップＳ５において、制御部９は、給紙タイミングを調整するとともに、排紙先を元に戻すよう変更する制御を行う。
【００７４】
次いで、ステップＳ６において、制御部９は、指定された印刷枚数分の給紙が終了したか否かを判断する。印刷枚数分の給紙が終了していないと判断した場合（ステップＳ６：ＮＯ）、制御部９は、ステップＳ１へ戻る。印刷枚数分の給紙が終了したと判断した場合（ステップＳ６：ＹＥＳ）、制御部９は、一連の処理を終了する。
【００７５】
上述した図３のフローチャートの処理により、例えば、排紙先がフェイスアップ排紙台４５の場合において、ユーザが排紙された用紙の乱れを発見し、排紙先を変更する操作を行うと、排紙先がフェイスダウン排紙台６５へと変更される。その後、ユーザがフェイスアップ排紙台４５から用紙Ｐを取り除き、排紙先を元に戻す操作を行うと、排紙先がフェイスアップ排紙台４５へと戻る。
【００７６】
ここで、排紙先がフェイスアップ排紙台４５からフェイスダウン排紙台６５へと変更される際、および排紙先がフェイスアップ排紙台４５へと戻る際、給紙タイミングの調整により、印刷動作の遅れが生じる。しかし、印刷装置１全体の動作を停止する場合に比べれば、印刷動作の遅れは短時間に抑えられる。
【００７７】
以上説明したように、第１の実施の形態では、制御部９は、ユーザ操作による排紙先の変更指示に応じて、給紙部２による給紙タイミングを調整する。これにより、印刷装置１を停止することなく、ユーザ所望のタイミングで排紙先を変更することが可能となる。
【００７８】
なお、フェイスアップ排紙台４５またはフェイスダウン排紙台６５を省略した、排紙台が１つのみの印刷装置において、例えば、ユーザが排紙台上の用紙を取り除くために、一時停止指示を入力すると、給紙を所定時間停止し、その後、給紙を再開するように調整してもよい。これにより、印刷装置１を停止することなく、ユーザ所望のタイミングで排紙を一時停止することができる。
【００７９】
（第２の実施の形態）
第２の実施の形態に係る印刷装置は、図１、図２に示した第１の実施の形態の印刷装置１と同様の構成であるため、第２の実施の形態においても図１、図２を用いる。
【００８０】
第２の実施の形態では、排紙先がフェイスアップ排紙台４５である片面印刷動作中に、フェンス（サイドフェンス４６，４７およびエンドフェンス４９）の位置が適切でないために排紙揃えが不良の場合に、ユーザ操作に応じてフェンスの位置変更を行う。このフェンスの位置変更について、図４のフローチャートを参照して説明する。
【００８１】
片面印刷動作を開始すると、図４のステップＳ１１において、制御部９は、操作入力部８に対する操作による設定変更指示として、フェンスの位置変更指示がされたか否かを判断する。フェンスの位置変更指示がされていないと判断した場合（ステップＳ１１：ＮＯ）、制御部９は、後述のステップＳ１４へ進む。
【００８２】
フェンスの位置変更指示がされたと判断した場合（ステップＳ１１：ＹＥＳ）、ステップＳ１２において、制御部９は、給紙部２を制御して給紙タイミングを調整する。具体的には、制御部９は、フェンスの位置変更指示後、次の用紙Ｐの給紙タイミングを遅らせ、紙間を大きくする。紙間は、先行する用紙Ｐの後端と後続の用紙Ｐの先端との間の距離である。
【００８３】
次いで、ステップＳ１３において、制御部９は、フェイスアップ排紙部４を制御してフェンスの位置変更を行う。制御部９は、ステップＳ１２における給紙タイミングの調整により大きくなった紙間に対応する２枚の用紙間の、フェイスアップ排紙台４５に用紙Ｐが排紙されない時間中に、フェンスの位置変更を行う。サイドフェンス４６，４７、エンドフェンス４９の移動方向および移動距離は、ユーザが操作入力部８を操作して指示する。
【００８４】
次いで、ステップＳ１４において、制御部９は、指定された印刷枚数分の給紙が終了したか否かを判断する。印刷枚数分の給紙が終了していないと判断した場合（ステップＳ１４：ＮＯ）、制御部９は、ステップＳ１１へ戻る。印刷枚数分の給紙が終了したと判断した場合（ステップＳ１４：ＹＥＳ）、制御部９は、一連の処理を終了する。
【００８５】
以上説明したように、第２の実施の形態では、制御部９は、ユーザ操作によるフェンスの位置変更指示に応じて、給紙部２による給紙タイミングを調整する。これにより、印刷装置１を停止することなく、ユーザ所望のタイミングでフェンスの位置変更を行うことが可能となる。
【００８６】
なお、両面印刷の場合、前述のように、未印刷の用紙Ｐの一方の面への印刷と、片面印刷済みの用紙Ｐの未印刷面（他方の面）への印刷とが交互に行われる。このため、両面印刷済みの用紙Ｐのフェイスアップ排紙台４５への排紙は、一枚おきに行われる。したがって、片面印刷の場合とは異なり、印刷動作中でもフェンスの位置変更を行う時間を確保できる。ただし、両面印刷の場合でも、必要に応じて、上述した片面印刷の場合と同様に、フェンスの位置変更のために給紙部２による給紙タイミングを調整して紙間を大きくする制御を行ってもよい。
【００８７】
（その他の実施の形態）
上記のように、本発明は第１および第２の実施の形態によって記載したが、この開示の一部をなす論述および図面はこの発明を限定するものであると理解すべきではない。この開示から当業者には様々な代替実施の形態、実施例および運用技術が明らかとなろう。
【００８８】
例えば、後処理装置がオフセット機能を有する排紙装置である場合において、制御部９が、ユーザ操作による排紙位置変更指示に応じて、給紙部２による給紙タイミングを調整する制御を行ってもよい。また、後処理装置が排紙装置以外である場合にも本発明は適用可能である。
【００８９】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００９０】
１  印刷装置
２  給紙部
３  印刷部
４  フェイスアップ排紙部
５  上面搬送部
６  フェイスダウン排紙部
７  反転部
８  操作入力部
９  制御部
【図１】
2014083743.tif 000003
【図２】
2014083743.tif 000004
【図３】
2014083743.tif 000005
【図４】
2014083743.tif 000006